(57)【要約】      （修正有）【課題】目地部が狭くなっても上方へ突出するのを防止するとともに、大きな目地部の寸法変化にも、スムーズに追従移動して、その動きを吸収することができる床用目地装置を得ること。【解決手段】目地部２を介して設けられた左右の躯体の目地部側の部位に両端部が枢支された少なくとも２個以上の伸縮可能な支持体と、この少なくとも２個以上の伸縮可能な支持体５に所定間隔で並列された複数個のバー部材６と、この複数個のバー部材６が枢支部に枢支された両端部が両端部のバー部材あるいは目地部側の左右の躯体に枢支された少なくとも２個以上のパンタグラフ状の伸縮リンク８とで床用目地装置を構成している。【選択図】図１
2005248466.tif 000002
【特許請求の範囲】
【請求項１】
目地部を介して設けられた左右の躯体の目地部側の部位に、両端部が枢支された少なくとも２個以上の伸縮可能な支持体と、この少なくとも２個以上の伸縮可能な支持体に所定間隔で並列された複数個のバー部材と、この複数個のバー部材が枢支部に枢支された両端部が両端部のバー部材あるいは目地部側の左右の躯体に枢支された少なくとも２個以上のパンタグラフ状の伸縮リンクとを備えることを特徴とする床用目地装置。
【請求項２】
、前記複数個のバー部材にそれぞれ固定された、該複数個のバー部材間の伸縮する隙間を覆う複数個の目地プレートとを備えることを特徴とする床用目地装置。
【請求項３】
目地部を介して設けられた左右の躯体の目地部側の部位に、両端部が枢支された中央部材が常時中央部に位置する少なくとも２個以上の伸縮可能な支持体と、この少なくとも２個以上の伸縮可能な支持体に所定間隔で並列され、中央部が前記中央部材に枢支された複数個のバー部材と、この複数個のバー部材の両端部のバー部材に取付けられた、前記目地部の端部を覆う端部目地プレートと、前記複数個のバー部材の中央部のバー部材に中央部が固定された前記目地部のほぼ半分を覆う中央目地プレートと、前記複数個のバー部材の両端部および中央部のバー部材を除く部位のバー部材に取付けられた、前記端部目地プレートおよび前記中央目地プレートと重なり合うスライド移動可能な、少なくとも一対以上の可動目地プレートと、この少なくとも一対以上の可動目地プレートが取付けられた外側のバー部材に両端部が枢支され、該外側間のバー部材に枢支部がそれぞれ枢支された少なくとも２個以上のパンタグラフ状の伸縮リンクとを備えることを特徴とする床用目地装置。
【請求項４】
伸縮可能な支持体は後端部にヒンジ部材が取付けられた一対の支持バーと、この一対の支持バーをスライド移動可能に支持する支持機構と、前記一対の支持バーの対向面に固定された一対のラックと、前記一対の支持バーのほぼ中央部の一対のラックに噛み合うピニオン、このピニオンに取付けられた枢支ピンとからなる中央部材とで構成されていることを特徴とする請求項１、２のいずれかに記載の床用目地装置。
【請求項５】
伸縮可能な支持体は後端部にヒンジ部材が取付けられた一対の支持バーと、この一対の支持バーにスライド移動可能に取付けられた可動支持バーと、この可能支持バーが前記一対の支持バーから脱落するのを阻止するように取付けられたストッパー部材と、前記可動支持バーの中央部に取付けられた枢支ピン状の中央部材とで構成されていることを特徴とする請求項１、２のいずれかに記載の床用目地装置。
【発明の詳細な説明】
【技術分野】
【０００１】
本発明は目地部を介して設けられた左右の床躯体間の目地部を覆う床用目地装置に関する。
【背景技術】
【０００２】
従来の床用目地装置は、目地部を覆えるように目地部側の左右の躯体に凹部を形成し、該凹部に浅皿状の目地プレートを設置し、目地部が狭くなると上方へ目地プレートを突出させる移動機構を設けている。
このため、目地部が狭くなると目地プレートが上方へ突出するため、危険であるとともに、目地プレートが重いためスムーズに移動させることができないという欠点があった。
【特許文献１】特になし。
【発明の開示】
【発明が解決しようとする課題】
【０００３】
本発明は以上のような従来の欠点に鑑み、目地部が狭くなっても上方へ突出するのを防止するとともに、大きな目地部の寸法変化にも、スムーズに追従移動して、その動きを吸収することができる床用目地装置を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は目地部を介して設けられた左右の躯体の目地部側の部位に、両端部が枢支された少なくとも２個以上の伸縮可能な支持体と、この少なくとも２個以上の伸縮可能な支持体に所定間隔で並列された複数個のバー部材と、この複数個のバー部材が枢支部に枢支された両端部が両端部のバー部材あるいは目地部側の左右の躯体に枢支された少なくとも２個以上のパンタグラフ状の伸縮リンクとで床用目地装置を構成している。
【発明の効果】
【０００６】
以上の説明から明らかなように、本発明にあっては次に列挙する効果が得られる。
【０００７】
（１）少なくとも２個以上の伸縮可能な支持体が目地部の伸縮に応じて伸縮させることができる。
したがって、該支持体に所定間隔で並列状態で支持されている複数個のバー部材をパンタグラフ状の伸縮リンクによって伸縮移動させて、その動きを上面へ突出することなく吸収することができる。
【０００８】
（２）前記（１）によって、複数個のバー部材の中央部は少なくとも２個以上の伸縮可能な支持体の中央部材に枢支されているので、少なくとも２個以上のパンタグラフ状の伸縮リンクによって複数個のバー部材が前後方向に不必要以上移動するのを阻止することができる。
したがって、大きな隙間が生じることなく、安全に使用することができる。
【０００９】
（３）前記（１）によって、少なくとも２個以上の伸縮可能な支持体、複数個のバー部材、少なくとも２個以上のパンタグラフ状の伸縮リンクとで構成しているので、構造が簡単で、従来のように大きくて重い目地プレートが不要で、輸送や設置作業を容易に楽に行なうことができる。
【００１０】
（４）請求項２も前記（１）〜（３）と同様な効果が得られる。
【００１１】
（５）請求項３は十分な強度が得られるとともに、スムーズに伸縮させることができる。
【００１２】
（６）請求項４は大きな移動量の伸縮移動をスムーズに行なうことができる。
【発明を実施するための最良の形態】
【００１３】
以下、図面に示す本発明を実施するための最良の形態より、本発明を詳細に説明する。
【００１４】
図１ないし図１０に示す本発明を実施するための最良の第１の形態において、１は目地部２を介して設けられた左右の床躯体３、３の目地部２を覆う本発明の床用目地装置で、この床用目地装置１は前記左右の床躯体３、３の目地部２側の部位に両端部が枢支された中央部材４が常時中央部に位置する、少なくとも２個以上の伸縮可能な支持体５、５と、この少なくとも２個以上の伸縮可能な支持体５、５に所定間隔で並列された中央部が前記中央部材４、４に枢支された複数個のバー部材６、６、６、６、６、６、６と、この複数個のバー部材６、６、６、６、６、６、６が枢支部７に枢支された両端部が両端部のバー部材６、６あるいは目地部側の左右の床躯体３、３に枢支された少なくとも２個以上のパンタグラフ状の伸縮リンク８、８とで構成されている。
【００１５】
前記伸縮可能な支持体５、５は後端部にヒンジ部材９、９が取付けられた先端部が、前記目地部２のほぼ３分の１の寸法部分が重なり合うコ字状の一対の支持バー１０、１０と、この一対の支持バー１０、１０をスライド移動可能に支持する下部および上部寄りの部位に形成されたアングル状の支持片１１、１１、この支持片１１、１１が挿入される逆U字状のガイド片１２、１２とからなる支持機構１３、１３と、前記一対の支持バー１０、１０の上部の対向面に固定された一対のラック１４、１４と、前記一対の支持バー１０、１０の中央部の前記一対のラック１４、１４に噛み合うピニオン１５、このピニオン１５に必要に応じて取付けられた枢支ピン１６とからなる中央部材４と、この中央部材４のピニオン１５が脱落するのを防止するように、該ピニオン１５の下部位置の前記一対の支持バー１０、１０の内壁面に固定されたピニオン支持片１７、１７とで構成されている。
【００１６】
前記複数個のバー部材６は角パイプ材が使用され、中央部に位置するバー部材６は前記伸縮可能な支持体５、５の枢支ピン１６、１６に枢支され、両端部のバー部材６、６は枢支ピン１８、１８、１８、１８で一対のバー部材６、６、６、６の後端部に枢支されている。
【００１７】
上記構成の床用目地装置１は、通常時は少なくとも２個以上の伸縮可能な支持体５、５に所定間隔となるように、少なくとも２個以上のパンタグラフ状の伸縮リンク８、８の枢支部７に枢支ピン１８で枢支された複数個のバー部材６、６、６、６、６、６、６が支持され、目地部をスノコ状に覆うことができる。
【００１８】
地震等によって目地部２が広くなったり、狭くなる左右方向に揺れ動いた場合には、図８および図９に示すように少なくとも２個以上の伸縮可能な支持体５、５と少なくとも２個以上のパンタグラフ状の伸縮リンク８、８が伸縮して、複数個のバー部材６、６、６、６、６、６、６を等間隔で伸縮させるように移動させて、その揺れ動きを吸収することができる。
【００１９】
また、異なる前後方向に揺れ動いた場合には、図１０に示すようにヒンジ部材９、９によって、少なくとも２個以上の支持体５、５が前後方向に回動するとともに、少なくとも２個以上のパンタグラフ状の伸縮リンク８、８も両端部が枢支ピン１８、１８で枢支されているため同方向に回動する。
このため、複数個のバー部材６、６、６、６、６、６、６も等間隔を保った状態で異なる前後方向に端部が傾斜状態となるようにスライド移動して、その揺れ動きを吸収する。
なお、揺れ動きが停止すると、自動的に支持体５、５、伸縮リンク８、８、複数個のバー部材６、６、６、６、６、６、６が元の状態に戻る。
[発明を実施するための異なる形態]
【００２０】
次に、図１１ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１１ないし図１３に示す本発明を実施するための第２の形態において、前記本発明を実施するための最良の第１の形態と主に異なる点は、複数個のバー部材６、６、６、６、６、６、６に、該バー部材６、６間の約２倍以上の寸法の目地プレート１９をそれぞれ重なり合うように取付けた点で、このように複数個のバー部材６、６、６、６、６、６、６に目地プレート１９、１９、１９、１９、１９、１９、１９を取付けた床用目地装置１Ａにしても、前記本発明を実施するための最良の第１の形態と同様な作用効果が得られるとともに、目地プレート１９、１９、１９、１９、１９、１９、１９によって、複数個のバー部材６、６、６、６、６、６、６間の隙間を通常時は勿論、目地部が狭くなったり、広くなる揺れ動き時にも完全に覆うことができる。
なお、複数個の目地プレート１９、１９、１９、１９、１９、１９、１９は同一形状のものを用いて、該目地プレート１９、１９、１９、１９、１９、１９、１９の厚さ寸法分のスぺーサーを順次増しながら一方の端部のバー部材６から他方の端部のバー部材６へと取付けたり、順次目地プレート１９の厚さ寸法分だけ取付部の高さ寸法の異なるものを用いてもよい。
さらに、複数個の目地プレート１９、１９、１９、１９、１９、１９、１９は同一形状のものを用いて、複数個のバー部材６、６、６、６、６、６、６にスプリングを介してビスで上下移動可能に複数個の目地プレート１９、１９、１９、１９、１９、１９、１９を取付け、重なり時に目地プレートが上方に移動できるように取付けてもよい。
【００２２】
図１４ないし図１７に示す本発明を実施するための第３の形態において、前記本発明を実施するための最良の第１の形態と主に異なる点は、後端部にヒンジ部材９、９が取付けられた、ほぼ目地部２の半分の長さ寸法の一対の支持バー１０Ａ、１０Ａと、この一対の支持バー１０Ａ、１０Ａに支持される、該一対の支持バー１０Ａ、１０Ａとほぼ同じ長さ寸法でほぼ中央部に枢支ピン２０が必要に応じて設けられた可動支持バー２１と、前記一対の支持バー１０Ａ、１０Ａの対向面側に突出するように下部および上部寄りの壁面に固定されたＬ字状の下部支持片２２、２２、アングル状の上部支持片２３、２３、前記可動支持バー２１の下端部および上端部に固定された、前記下部支持片２２、２２と必要に応じてローラを介してスライド移動可能に係合および上部支持片２３、２３に必要に応じてローラを介してスライド移動可能に係合するチャンネル状の下部係合片２４および上部係合片２５とからなる支持機構１３Ａを用いた、少なくとも２個以上の伸縮可能な支持体５Ａ、５Ａを用いた点で、このような伸縮可能な支持体５Ａ、５Ａを用いて構成した床用目地装置１Ｂにしても、前記本発明を実施するための最良の第１の形態と同様な作用効果が得られる。
なお、本発明を実施するための形態でも、前記本発明を実施するための第２の形態と同様に複数個のバー部材６、６、６、６、６、６、６に目地プレート１９、１９、１９、１９、１９、１９、１９を取付けて使用することができる。
【００２３】
図１８ないし図２０に示す本発明を実施するための第４の形態において、前記本発明を実施するための第３の形態と主に異なる点は、少なくとも２個以上の支持体５Ａ、５Ａに、該支持体５Ａ、５Ａの長さ寸法を１０等分するように９個のバー部材６、６、６、６、６、６、６、６、６を用いるとともに、両端部のバー部材６、６に枢支ピン２６、２６で枢支された、該バー部材６、６の両端部の目地部を覆う端部目地プレート２７、２７と、両端部から２番目のバー部材６、６を前記支持体５Ａ、５Ａに枢支する枢支ピン１８、１８と、両端部から３番目のバー部材６、６に枢支ピン２６、２６で枢支された先端部が前記端部目地プレート２７、２７の中央部に先端部がスライド移動可能に重なる第１の可動目地プレート２８、２８と、両端部から４番目のバー部材６、６に枢支ピン２６、２６で枢支された先端部が前記第１の可動目地プレート２８、２８の中央部に先端部がスライド移動可能に重なる第２の可動目地プレート２９、２９と、中央部のバー部材６に皿ビス３０等によって固定された、前記第２の可動目地プレート２９、２９の中央部に両端部がスライド移動可能に重なる固定目地プレート３１と、両端部から２番目のバー部材６、６に両端部が枢支ピン１８、１８で枢支され、両端部から３番目のバー部材６、６、４番目のバー部材６、６、中央部のバー部材６にそれぞれ枢支ピン１８、１８、１８、１８、１８で枢支された四角形状が６個形成されるパンタグラフ状の伸縮リンク８Ａ、８Ａと、支持体５Ａ、５Ａの可動支持バー２１、２１のほぼ中央底面に枢支ピン３２、３２で枢支された連結バー３３等を用いた点で、このように構成した床用目地装置１Ｃにしても、前記本発明を実施するための第３の形態と同様な作用効果が得られる。
なお、本発明の実施の形態では目地部を６等分するように５個のバー部材を用いて、一対の可動目地プレートを用いる床用目地装置にしてもよい。
【００２４】
図２１ないし図２３に示す本発明を実施するための第５の形態において、前記本発明を実施するための第２の形態と主に異なる点は、両端部のバー部材６、６に先端部が他方の支持バー１０、１０の先端部に位置する端部目地プレート３４、３４を複数本の皿ビス３５等によって固定するとともに、中央部のバー部材６に両端部が前記端部目地プレート３４、３４の中央部に位置してスライド移動可能に重なる中央目地プレート３６を複数本の皿ビス３５等によって固定した点で、このように構成した床用目地装置１Ｄにしても、前記本発明を実施するための第２の形態と同様な作用効果が得られる。
【産業上の利用可能性】
【００２５】
本発明は床用目地装置を製造する産業、あるいは床用目地装置を設置する産業で利用される。
【図面の簡単な説明】
【００２６】
【図１】本発明を実施するための最良の第１の形態の平面図。
【図２】本発明を実施するための最良の第１の形態の底面図。
【図３】図１の３−３線に沿う拡大断面図。
【図４】図１の４−４線に沿う拡大断面図。
【図５】本発明を実施するための最良の第１の形態の支持体の平面図。
【図６】図５の６−６線に沿う断面図。
【図７】本発明を実施するための最良の第１の形態の伸縮リンクの説明図。
【図８】本発明を実施するための最良の第１の形態の目地部が広くなった動作説明図。
【図９】本発明を実施するための最良の第１の形態の目地部が狭くなった動作説明図。
【図１０】本発明を実施するための最良の第１の形態の異なる前後方向の動作説明図。
【図１１】本発明を実施するための第２の形態の平面図。
【図１２】本発明を実施するための第２の形態の底面図。
【図１３】図１１の１３−１３線に沿う拡大断面図。
【図１４】本発明を実施するための第３の形態の平面図。
【図１５】本発明を実施するための第３の形態の底面図。
【図１６】図１４の１６−１６線に沿う拡大断面図。
【図１７】本発明を実施するための第３の形態の支持体の説明図。
【図１８】本発明を実施するための第４の形態の平面図。
【図１９】本発明を実施するための第４の形態の底面図。
【図２０】図１８の２０−２０線に沿う拡大断面図。
【図２１】本発明を実施するための第５の形態の平面図。
【図２２】本発明を実施するための第５の形態の底面図。
【図２３】図２１の２３−２３線に沿う拡大断面図。
【符号の説明】
【００２７】
１、１Ａ、１Ｂ、１Ｃ、１Ｄ：床用目地装置、
２：目地部、                  ３：床躯体、
４：中央部材、                ５、５Ａ：支持体、
６：バー部材、                ７：枢支部、
８：伸縮リンク、              ９：ヒンジ部材、
１０、１０Ａ：支持バー、      １１：支持片、
１２：ガイド片、              １３、１３Ａ：支持機構、
１４：ラック、                １５：ピニオン、
１６：枢支ピン、              １７：ピニオン支持片、
１８：枢支ピン、              １９：目地プレート、
２０：枢支ピン、              ２１：可動支持バー、
２２：下部支持片、            ２３：上部支持片、
２４：下部係合片、            ２５：上部係合片、
２６：枢支ピン、              ２７：端部目地プレート、
２８：第１の可動目地プレート、２９：第２の可動目地プレート、
３０：皿ビス、                ３１：固定目地プレート、
３２：枢支ピン、              ３３：連結バー、
３４：端部目地プレート、      ３５：皿ビス、
３６：中央目地プレート。
【図１】
2005248466.tif 000003
【図２】
2005248466.tif 000004
【図３】
2005248466.tif 000005
【図４】
2005248466.tif 000006
【図５】
2005248466.tif 000007
【図６】
2005248466.tif 000008
【図７】
2005248466.tif 000009
【図８】
2005248466.tif 000010
【図９】
2005248466.tif 000011
【図１０】
2005248466.tif 000012
【図１１】
2005248466.tif 000013
【図１２】
2005248466.tif 000014
【図１３】
2005248466.tif 000015
【図１４】
2005248466.tif 000016
【図１５】
2005248466.tif 000017
【図１６】
2005248466.tif 000018
【図１７】
2005248466.tif 000019
【図１８】
2005248466.tif 000020
【図１９】
2005248466.tif 000021
【図２０】
2005248466.tif 000022
【図２１】
2005248466.tif 000023
【図２２】
2005248466.tif 000024
【図２３】
2005248466.tif 000025